(57)【要約】      （修正有）【課題】使用者が安定的にローラーブレーダー、スキー、ステップ、歩行、ウエストひねりの動作をシュミレートすることができ、身体鍛錬の効果を達成することができる脚部運動フィットネス機器進行導引構造を提供する。【解決手段】主に伝動ホイール11の伝動軸111両側においてそれぞれ転動クランク112を接続し、転動クランクには伝動台113を嵌接し、伝動台上にはプルバー114を可動接続する。プルバー上には踏み台1141を設置し、その末端にはガイドホイール台115を可動接続する。ガイドホイール台内にはそれぞれガイドホイールを設置し、機構底台上に固定されたV型ガイドレール3の両側の導引レール31上に跨がるようにする。操作者が２個の踏み台上に立って、両脚で交互に踏み台を踏むことにより、上下前後にスライド移動させるようにする。【選択図】図１
0003133265.tif 000002
【実用新案登録請求の範囲】
【請求項１】
主にフィットネス機器上には伝動ホイール及び抵抗力制御機構を備え、踏み台により該伝動ホイールの転動を連動し、該抵抗力制御機構によりその転動の抵抗力の大きさを制御し、
２個のプルバーは、それぞれ一端に伝動台を可動接続し、該伝動台前端にはスリーブを設置し、該スリーブには該伝動ホイールの転動クランクの伝動軸を嵌設し、反対端にはガイドホイール台を可動接続し、該ガイドホイール台の内部にはガイドホイールを設置し、しかも該プルバー上にはそれぞれ踏み台を設置し、
ガイドレールは、フィットネス機器底台の適当な距離を隔てた両端寄りの2箇所から、それぞれ２個の導引レールを延伸し、該導引レールの末端を補強部分によって相互に連結することで、V型ガイドレールを形成し、該ガイドホイール台のガイドホイールを、該ガイドレールに跨がるように設置し、
こうして該ガイドホイール台上の軸棒と該伝動台上のピボットを利用して、該プルバーは該V型ガイドレール両側の導引レール上において自由回転を行い、該プルバーは該踏み台を連動し楕円形の回転動を生じさせ、同時に両側の導引レールの末端が連結する補強部分により、該踏み台によるトルクによって該導引レールが揺れ動いたり変形したりすることを回避できることを特徴とする脚部運動フィットネス機器進行導引構造。
【請求項２】
前記伝動ホイールは該転動クランクを連動し、該転動クランク上に嵌設されるスリーブは該伝動台を連動し上下スイングを行わせ、同時に該伝動台は該ピボットにより該プルバーの前端を可動接続し、該プルバーは左右スイングを行うことができ、しかも該プルバー反対端の位置には軸棒により該ガイドホイール台を可動接続し、これにより該ガイドホイール台のガイドホイールは該導引レールの角度に応じて自由に回転を行い、同時に該プルバーをスイングさせることを特徴とする請求項１記載の脚部運動フィットネス機器進行導引構造。
【請求項３】
前記プルバー上の踏み台は使用者に選択を提供し、すなわち使用者が正方向に立って踏み台を踏むことも反対方向に立って踏み台を踏むこともでき、使用者は該V型ガイドレール上において外向き八字形或いは内向き八字形の移動運動を行うことができることを特徴とする請求項１記載の脚部運動フィットネス機器進行導引構造。
【請求項４】
前記V型或いは三角形ガイドレールは該導引レールの内側或いは外側においてそれぞれ２個の平行レールを設置することを特徴とする請求項１記載の脚部運動フィットネス機器進行導引構造。
【請求項５】
前記導引レール上には凹溝を形成し、該ガイドホイール台においてスライドホイールを軸設し、該スライドホイールは該凹溝内に設置し、前後移動の位置を限定することを特徴とする請求項１記載の脚部運動フィットネス機器進行導引構造。
【請求項６】
前記ガイドレールは該伝動ホイール下方に近い底台上に固定可能で、前記ガイドレールを該伝動ホイール下方に近い底台上に固定した場合には、該転動クランクに可動接続されたプルバーは該ガイドレールが設置された方向に従い配置を変換し、該ガイドホイール台は設置位置を変更後、該ガイドレール上に跨がるように設置しスライド移動させることを特徴とする請求項１記載の脚部運動フィットネス機器進行導引構造。
【請求項７】
主にフィットネス機器上には伝動ホイール及び抵抗力制御機構を備え、踏み台により該伝動ホイールの転動を連動し、該抵抗力制御機構によりその転動の抵抗力の大きさを制御し、
２個のプルバーは、それぞれ一端が直接スリーブ上に連接し、該スリーブは該伝動ホイールの伝動軸上の該転動クランクに嵌設し、反対端にはガイドホイール台が固定され、該ガイドホイール台の内部にはスライドホイールを設置し、しかも該プルバー上にはそれぞれ踏み台を設置し、こうして該スライドホイールは直接地面に接触し、該２個のプルバーを押し動かすことにより該転動クランクの転動を連動し、前後スライド移動を行うことを特徴とする脚部運動フィットネス機器進行導引構造。
【請求項８】
前記２個のプルバーと該スリーブは外向き八字形或いは内向き八字形或いは平行に連接可能であることを特徴とする請求項７記載の脚部運動フィットネス機器進行導引構造。
【請求項９】
前記左、右２個のプルバーは該伝動軸を軸心とし直接反対向きに平面上に跨がるように設置可能で、反対向きに設置した場合、該ガイドホイール台を取外した後に再び該左、右２個のプルバーの末端下方に該ガイドホイール台を設置し、これによりガイドホイール或いはスライドホイールが直接平面に接触し、該プルバーが、上、下、前、後のスライド移動を行うことを特徴とする請求項７記載の脚部運動フィットネス機器進行導引構造。
【考案の詳細な説明】
【技術分野】
【０００１】
本考案は一種の脚部運動フィットネス機器進行導引構造に関する。特に一種のフィットネス機器底台上の適当な距離を隔てた両端寄りの２箇所から、それぞれ２個の導引レールを延伸し、該２個の導引レールの末端に補強部分を連結し、ペダルを踏むことにより、自由スイングするプルバーを牽引し、伝動台を介して転動クランクを押し動かす一方で、該プルバー末端の自由スイング可能なガイドホイール台上のガイドホイールを、該レールに従い往復移動させ、使用者が正方向或いは反対方向の方向を選択可能で、内或いは外向き八字形移動動作を達成し、ローラーブレーダー、スキー、ステップ、歩行、ウエストひねりのフィットネス動作をシュミレートする脚部運動フィットネス機器進行導引構造に係る。
【背景技術】
【０００２】
本考案申請人が以前考案した特許申請番号は以下の通りである。
台湾: 094207180
台湾: 094208488 
中国: 200420012546.0 
韓国: 20-2004-0029098
米国: 10/963506
ドイツ: 2005004979.4
本考案は前記の特許申請案にさらに改良を加える。本考案においては、前記構造のスライドレールは単一リニアスライドレールの一端がフィットネス機器底台に固定され、反対端が張り出し、スライドホイールが該リニアスライドレール上において前後移動を行う。２個のスライドレール間の外向き八字形、内向き八字形の調整により、ローラーブレーダー、スキー、ステップ、歩行、ウエストひねりの動作をシュミレートする需要に応えることができる。
【考案の開示】
【考案が解決しようとする課題】
【０００３】
公知構造には以下の欠点があった。すなわち公知技術は構造が複雑でコストが高く、またその構造が複雑であるために体積が比較的大きく、場所を取る。よって収納が困難で、使用にも比較的大きな空間が必要である。また公知技術の構造は姿勢の変換時に調整する必要があり、使用が不便である。本考案は上記構造の問題点を解決した脚部運動フィットネス機器進行導引構造を提供するものである。
【課題を解決するための手段】
【０００４】
上記課題を解決するため、本考案は下記の脚部運動フィットネス機器進行導引構造を提供する。
【０００５】
本考案は主に、フィットネス機器底台上の適当な距離を隔てた両端寄りの２箇所から、それぞれ２個の導引レールを延伸し、該２個の導引レールの末端を連結することにより、V型或いは三角形或いは平行を呈するガイドレールを形成し、ペダルを踏むことにより、自由スイング可能なプルバーを牽引し、伝動台を介して転動クランクを押し動かす一方で、該プルバー末端のガイドホイール台上のガイドホイールを、該両側の導引レールに従い往復移動させ、該V型或いは三角形或いは平行ガイドレール両側の導引ガイドレール末端の連結を利用してガイドレールの強度を強化し、ペダルを踏む時に揺れ動いたり或いはトルクを受けて変形することがなく、同時に使用者に踏み台を踏む方向の選択を提供し、Ｖ型或いは三角形或いは平行ガイドレールによって、外向き八字形或いは内向き八字形等の移動を行い、ローラーブレーダー、スキー、ステップ、歩行、ウエストひねりのフィットネス動作をシュミレート可能な、脚部運動フィットネス機器進行導引構造を提供する。
【０００６】
また本考案では、２個のプルバーの一端をそれぞれピボットにより該伝動台上に可動接続し、該２個の伝動台をさらにスリーブにより該伝動ホイール両側の転動クランク上に嵌設し、該２個のプルバー反対端をそれぞれ軸棒によりそれぞれガイドホイール台に可動接続しているので、これにより、該プルバーの両端が、共に該伝動台のピボットと該ガイドホイール台の軸棒により自由スイングし、該プルバーが、該V型或いは三角形或いは平行ガイドレールの両側の導引レールの角度に従いスイング往復移動を行う。
【０００７】
また本考案のV型或いは三角形或いは平行ガイドレールのうち、該V型或いは三角形ガイドレールは、使用者が反対方向に踏み台上を踏むと、プルバーに内向き八字形の往復移動動作を行わせ、使用者は踏み台を踏みウエストひねりの効果を達成できる。
【０００８】
加えて本考案のV或いは三角形或いは平行型ガイドレールは、使用者が正方向で踏み台上を踏むと、プルバーは外向き八字形の往復移動動作を行い、使用者は踏み台を踏むことによってローラーブレーダー、スキー、ステップ、歩行の効果を達成できる。
【０００９】
また本考案のV形ガイドレール或いは三角形ガイドレールは該導引レールの内側或いは外側に２個の平行導引レールを増設可能であり、該伝動台のピボット及びガイドホイール台を利用して、該ガイドホイール或いはスライドホイールを該２個の平行導引レールによって導引して前後移動させながら自由に回転させ、これによって歩行、競歩の運動効果を達成できる。
【００１０】
さらに本考案は地面が平滑面である時には、該２個のプルバーを直接該伝動クランクに嵌設されるスリーブと連接し、２個のプルバー及びプルバー上の踏み台1141を、内向き八字形或いは外向き八字形或いは平行状とし、さらに末端には、対応するスライドホイールを固定し直接地面に接触させることができる。運動者が該踏み台を踏むと、該スライドホイールが直接地面において前後スライド移動を行い、一方で、該クランクが連動して転動する。
【００１１】
さらに本考案は、該抵抗力制御機構の抗力調整を受け、ローラーブレーダー、スキー、スケート、ステップ、ウエストひねり、歩行、競歩の運動効果を達成する脚部運動フィットネス機器進行導引構造を提供する。
【考案の効果】
【００１２】
上記のように、本考案はフィットネス機器底台上の適当な距離を隔てた両端寄りの２箇所からそれぞれ２個の導引レールを延伸し、該２個の導引レールの末端に補強部分を連結し、ペダルを踏むことにより、自由スイングするプルバーを牽引し、伝動台を介して転動クランクを押し動かし、一方で、該プルバー末端の自由スイング可能なガイドホイール台上のガイドホイールを該レールに従い往復移動させるものである。これにより、使用者が、正方向或いは反対方向の方向を選択可能で、内或いは外向き八字形移動動作を達成し、ローラーブレーダー、スキー、ステップ、歩行、ウエストひねりのフィットネス動作をシュミレートすることができる。
【考案を実施するための最良の形態】
【００１３】
図1〜6に示すように、該フィットネス機器1上には、伝動ホイール11及び抵抗力制御機構2が備えられている。該抵抗力制御機構2は、公知装置であるため詳述しないが、該伝動ホイール11転動の抵抗力の大きさを制御し、運動調整の効果を生じさせるものである。
【００１４】
図1に示すように、本考案の主要部分は、伝動ホイール11の伝動軸111両側にそれぞれ転動クランク112を接続し、該２個の転動クランク112をそれぞれ伝動台113前端のスリーブ1130に嵌設したものである。該２個の伝動台113上にはそれぞれピボット1131によりプルバー114の一端を可動接続し、該２個のプルバー114上にはそれぞれ踏み台1141を設置する。さらに図4に示すように、該２個のプルバー114の末端にはそれぞれ軸棒1142によりガイドホイール台115を可動接続し、該２個のガイドホイール台115内にはそれぞれガイドホイール1151を設置する。該２個のガイドホイール1151は、該フィットネス機器1の底台10上に固定されたV型ガイドレール3に跨がるように設置し、該V型ガイドレール3両側の導引レール31は、末端の補強部分32によって相互に連結する。
【００１５】
図2、3に示すように、操作者が該２個の踏み台1141上に立ち、両脚で交互に該踏み台1141を踏むことにより、該プルバー114は、該ガイドホイール1151により該導引レール31上を導引されて前後にスライド移動する。また、該プルバー114は、伝動台113の前端のスリーブ1130によって、該転動クランク112と連結しているので、該転動クランク112の上下スイングに従い、該プルバー114も連動して上昇、下降する。また、該プルバー114は、一端が、ピボット1131により、該伝動台113と可動接続され、他端が、軸棒1142によりガイドホイール台115と可動接続される。これにより該２個のプルバー114は、前記ガイドホイール台115上の軸棒1142と伝動台上のピボット1131を利用して、自由に左右スイングすることができ、こうして、プルバー114は、２個の導引レール31間の幅の拡張、縮小に従いながら往復移動することができる。こうして該プルバー114は該V型ガイドレール3両側の導引レール31上において自由回転方向を生じ、これにより該プルバー114は該踏み台1141を連動し、楕円形の回転動を生じさせ、これに対して使用者は外向き八字形或いは内向き八字形の往復移動を行う。同時に両側の導引レール31の末端が連結する補強部分32があることにより、該踏み台1141によるトルクによって該導引レール31が揺れ動いたり変形したりすることを回避でき、このため、使用者は、安定的にローラーブレーダー、スキー、ステップ、歩行の動作をシュミレートすることができ、身体鍛錬の効果を達成することができる。
【００１６】
図5に示すように、該ガイドレール3の両側の導引レール31は、該フィットネス機器1底台10の適当な幅を有する両端寄りの２箇所から延伸して徐々にレール間の幅が縮小し、末端で補強部分32に連結することにより、V型ガイドレール3を形成する。これにより、使用者は該踏み台1141において正面を向いて立つと、ローラーブレーダー、スキー、スケート等の運動動作のような外向き八字形の脚部移動運動を行うことができる。
【００１７】
図６に示すように、前記使用者が前記とは反対方向に該踏み台1141上に立つと、該V型ガイドレール3は逆V形ガイドレールを形成する。これにより内向き八字形の脚部移動運動を行うことができ、特に調整或いは交換を行う必要なくステップ、ウエストひねり運動を行うことができる。
【００１８】
図７、８に示すように、該導引レール31’には凹溝レール311’を設置可能で、該凹溝レール311’に対しては、図１〜６のガイドホイール1151の代わりにスライドホイール1151’を設置可能であり、該スライドホイール1151’が、該凹溝レール311’内においてスライド移動の制限を行う。
【００１９】
図１３に示すように、該底台10上の2箇所の中段位置から外側に向かって2個の導引レール31又は導引レール31’を延伸し、該レールの末端に補強部分32を連結して三角形ガイドレール3’を形成することもできる。該三角形ガイドレール3’は、該２個の導引レール31或いは31’の型態に応じて、該ガイドホイール1151或いはスライドホイール1151’により、運動者が踏み台1141を踏む方向に応じて、内向き八字形或いは外向き八字形の前後移動を提供することができ、こうしてローラーブレーダー、スキー、スケート、ステップ、ウエストひねり運動を提供することができる。
【００２０】
図９〜１０に示すように、該V形ガイドレール3或いは三角形ガイドレール3’（図13参照）は該導引レール31、31’の内側（図11参照）或いは外側において２個の平行導引レール31”を増設することができる（図12参照）。該伝動台113のピボット1131及び該ガイドホイール台115の軸棒1142を利用することにより、該ガイドホイール1151を、該２個の平行導引レール31”で導引しながら、前後移動において自由に回転させることが可能であり、こうして歩行、競歩の運動効果を提供することができる。
【００２１】
図１４〜１６に示すように、地面が平滑面である時には、該２個のプルバー114を直接該伝動クランク112に嵌設されるスリーブ1130と連接し、該２個のプルバー114及びプルバー上の踏み台1141を、外向き八字形（図14参照）或いは内向き八字形（図15参照）或いは平行状（図16参照）とし、さらに末端には、対応するスライドホイール1151”を固定し直接地面に接触させることができる。運動者が該踏み台1141を踏むと、該スライドホイール1151”が直接地面において前後スライド移動を行い、一方で該転動クランク112が連動して転動する。また、該抵抗力制御機構2（これは公知装置であるため詳述しない）の抗力調整を受け、ローラーブレーダー、スキー、スケート、ステップ、ウエストひねり、歩行、競歩の運動効果を達成することができる。
【００２２】
図1、7〜13、20に示すように、該V字型ガイドレール3或いは三角型ガイドレール3’を設置する時、また場合によっては更に２本の平行導引レール31”を前記V字型ガイドレール3或いは三角型ガイドレール3’の内側或いは外側に設置する時、前記構成の各種V字型ガイドレール3或いは三角型ガイドレール3’を、該伝動ホイール11下方に近い底台10’上に設置してもよい（図20参照）。このときは、該プルバー114を、該各種ガイドレール3、3’の設置方向に従って配置し、該ガイドホイール台115を取外す。同時に図5の組立て方式により、該ガイドホイール1151或いはスライドホイール1151’、1151”が該各種ガイドレール3、3’上に跨がるように設置されるように、該ガイドホイール台115を、該左、右２個のプルバー114の末端下方に設置する。このようにすることにより、左、右足で交互に該左、右踏み台1141を踏む運動に適用可能である。また該伝動ホイール11を転動させることによって、該左、右プルバー114を連動させ、上、下、前、後の8字型軌跡スライド移動を行わせることができる。こうして前記と同様の各脚部運動型態を達成することができる。
【００２３】
図14〜19に示すように、該左、右２個のプルバー114を該伝動軸111を軸心として反転させ、これにより該左、右２個のプルバー114を、反対向きに直接平面上に設置してもよい（図18、19参照）。この場合、さらに該ガイドホイール台115を取外し、同時に図5の組立て方式により、該ガイドホイール台115を該左、右２個のプルバー114の末端下方に設置する。このようにすることにより、該ガイドホイール台115のガイドホイール1151或いは該スライドホイール1151’、1151”は平面に接触し、こうして上、下、前、後のスライド移動が可能となり、前記と同様の各脚部運動型態を提供することができる。
【００２４】
上記図1、17、19、20に示すように、前記の各種ガイドレール3、3’及び該左、右２個のプルバー114は共に、該伝動ホイール11の前方或いは後方位置に設置することができる。しかも、前記の各種ガイドレール3、3’は必要に応じて該フィットネス器1の前、後底台10、10’上に固定可能で、何れの場合も伝動軸111を軸心とする該伝動クランク112の転動により、プルバー114及び踏み台1141を、上、下、前、後にスライド移動させることが可能である。こうして8字型移動軌跡によりローラーブレーダー、スキー、スケート、ステップ、歩行、ウエストひねりのフィットネス、競歩等の運動効果を提供することができる。
【図面の簡単な説明】
【００２５】
【図１】本考案制御の立体組合せ図である。
【図２】本考案の動作指示図である。
【図３】本考案実施例動作の俯瞰図である。
【図４】本考案ガイドレールとガイドホイールの対応図である。
【図５】本考案使用状態下の実施例図である。
【図６】本考案使用状態下の別種の実施例図である。
【図７】本考案第二実施例の立体組合せ図である。
【図８】本考案第二実施例スライドホイールと凹溝組合せの断面図である。
【図９】本考案第三実施例の立体組合せ図である。
【図１０】本考案第四実施例の立体組合せ図である。
【図１１】本考案第三実施例ガイドレールの平面図である。
【図１２】本考案第五実施例ガイドレールの平面図である。
【図１３】本考案第六実施例ガイドレールの平面図である。
【図１４】本考案レールを設置しない第一実施例の組合せ平面図である。
【図１５】本考案レールを設置しない第二実施例の組合せ平面図である。
【図１６】本考案レールを設置しない第三実施例の組合せ平面図である。
【図１７】本考案レールを設置しない第、一、二、三実施例の組合せ側面図である。
【図１８】本考案レールを設置しない第、一、二、三実施例においてプルバーを反転後の組合わせ俯瞰指示図である。
【図１９】本考案レールを設置しない第、一、二、三実施例においてプルバーを反転後の組合せ側面指示図である。
【図２０】本考案レールを設置する各実施例においてプルバーを反転後の組合せ側面指示図である。
【符号の説明】
【００２６】
1  フィットネス機器
11  伝動ホイール
2  抵抗力制御機構
111  伝動軸
112  転動クランク
113  伝動台
1130  スリーブ
1131  ピボット 
114  プルバー
1141  踏み台
1142  軸棒
115  ガイドホイール台 
1151  ガイドホイール
1151’、 1151”  スライドホイール
10  底台
3  V型ガイドレール
3’  三角形ガイドレール
31、31’、31”  導引レール
311’  凹溝
32  補強部分
【図１】
0003133265.tif 000003
【図２】
0003133265.tif 000004
【図３】
0003133265.tif 000005
【図４】
0003133265.tif 000006
【図５】
0003133265.tif 000007
【図６】
0003133265.tif 000008
【図７】
0003133265.tif 000009
【図８】
0003133265.tif 000010
【図９】
0003133265.tif 000011
【図１０】
0003133265.tif 000012
【図１１】
0003133265.tif 000013
【図１２】
0003133265.tif 000014
【図１３】
0003133265.tif 000015
【図１４】
0003133265.tif 000016
【図１５】
0003133265.tif 000017
【図１６】
0003133265.tif 000018
【図１７】
0003133265.tif 000019
【図１８】
0003133265.tif 000020
【図１９】
0003133265.tif 000021
【図２０】
0003133265.tif 000022